(57)【要約】      （修正有）【課題】衛生用品を収納部に収容できるようにした、収納機能を有する蛇口を提供する。【解決手段】蛇口は、ベースと、吐水部と、収納部と、を有しており、ベースは、下端に穿設される入水口と、入水口と連通するために内部に形成される貫通孔と、を備えており、吐水部は、ベースに設けられ、貫通孔と連通する吐水口を備えており、収納部は、ベースに設けられ、収納台及び収納孔を備える。【選択図】図１
0003163749.tif 000002
【実用新案登録請求の範囲】
【請求項１】
下端に穿設される入水口及び該入水口と連通するために、内部に形成される貫通孔を備えるベースと、
前記ベースに設けられ、前記貫通孔と連通する吐水口を備える吐水部と、
前記ベースに設けられ、収納台及び収納孔を備える収納部と、
を有することを特徴とする収納機能を有する蛇口。
【請求項２】
前記収納台は、プレート状を呈すると共に、前記吐水部の上面と同一平面である上面を有し、
前記収納孔は、前記収納台に穿設されることを特徴とする請求項１に記載の収納機能を有する蛇口。
【請求項３】
前記収納部は、前記ベースにおける吐水部の反対側に設けられることを特徴とする請求項１または請求項２に記載の収納機能を有する蛇口。
【請求項４】
前記吐水部は、前記ベースから水平方向に向かって延出し、対向する２つの吐水アームと、２つの前記吐水アームそれぞれに、前記貫通孔と連通するように、対向する内面に穿設される吐水口と、を備え、該吐水口は、Ｌ字型断面を呈することを特徴とする請求項１乃至請求項３の何れか１項に記載の収納機能を有する蛇口。
【請求項５】
前記収納孔は、前記収納部の側縁部に凹設されると共に、円弧形を呈することを特徴とする請求項２乃至請求項４の何れか１項に記載の収納機能を有する蛇口。
【請求項６】
前記収納孔は、前記収納部の側縁部に凹設されると共に、多辺形を呈することを特徴とする請求項２乃至請求項４の何れか１項に記載の収納機能を有する蛇口。
【請求項７】
前記吐水部は、１つ以上の吐水口を備え、
前記収納部は、１つ以上の収納孔を備えることを特徴とする請求項１乃至請求項３の何れか１項に記載の収納機能を有する蛇口。
【考案の詳細な説明】
【技術分野】
【０００１】
本考案は、特に収納機能を備える蛇口に関するものである。
【背景技術】
【０００２】
一般に蛇口は、洗面所における洗面台に設置され、末端の吐水口から水道水を提供するものであり、人が顔や手を洗い、または、歯を磨くために、洗面台の蛇口付近には、例えば洗顔料、コップ、歯磨き粉、歯ブラシなどの衛生用品が置かれている。
【考案の概要】
【考案が解決しようとする課題】
【０００３】
しかしながら、従来の蛇口は当然ながら、洗顔料などの衛生用品を収納することができず、吐水機能しか備えていないので、機能性に優れず、さらに、従来の蛇口又は洗面台には、コップ、洗顔料、歯磨き粉、歯ブラシなどを収納する空間が設置されていないことから、そのまま乱雑に洗面台に放置されることが多いので、それらを不注意により洗面台から落下させて床を汚してしまうことがよくあった。
【課題を解決するための手段】
【０００４】
本考案に係る収納機能を有する蛇口は、ベース、吐水部及び収納部を有しており、前記ベースは、下端に穿設される入水口と、前記入水口と連通するために内部に形成される貫通孔とを備えており、前記吐水部は、前記ベースに設けられ、前記貫通孔と連通する吐水口を備えており、前記収納部は、前記ベースに設けられ、収納台と、収納孔と、を備えるものである。
【０００５】
前記収納台はプレート状を呈すると共に、前記吐水部の上面と同一平面である上面を有し、該収納台には前記収納孔が穿設される。
【０００６】
前記収納部は、前記ベースにおける前記吐水部の反対側に設けられる。
【０００７】
前記吐水部は、Ｌ字型断面を呈すると共に、前記ベースから水平方向に向かって延出し、対向する２つの吐水アームと、２つの前記吐水アームそれぞれに、前記貫通孔と連通するように、対向する内面に穿設される吐水口と、を備えるものである。
【０００８】
また、前記収納孔は、前記収納部の側縁部に凹設されると共に、円弧形を呈してもよい。
【０００９】
また、前記収納孔は、前記収納部の側縁部に凹設されると共に、多辺形を呈してもよい。
【００１０】
また、前記吐水部が１つ以上の吐水口を備え、前記収納部が１つ以上の収納孔を備えても構わない。
【考案の効果】
【００１１】
本考案に係る収納機能を有する蛇口は上記の課題を解決するものであり、直接蛇口の収納孔に衛生用品を収容できるようにすることにより、例えば、顔や手を洗う時、または、歯を磨く時に、利便性を提供することができるのみならず、衛生面にも配慮されているので、洗面台を常時清潔にすることができる。
【図面の簡単な説明】
【００１２】
【図１】本考案に係る収納機能を有する蛇口の斜視図である。
【図２】本考案に係る収納機能を有する蛇口の底面斜視図である。
【図３】本考案に係る収納機能を有する蛇口に衛生用品を収納した状態を示す斜視図である。
【図４】本考案に係る収納機能を有する蛇口における他の実施例を示す斜視図である。
【図５】本考案に係る収納機能を有する蛇口における他の実施例の底面斜視図である。
【図６】本考案に係る収納機能を有する蛇口において衛生用品を収納した状態を示す斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１、図２、図４及び図５に示すように、本考案に係る収納機能を有する蛇口は、ベース１０と、吐水部２０、２０Ａと、収納部３０と、を有し、その内、前記ベース１０は、管状を呈し、下端の底面に穿設される少なくとも１つの入水口１１と、前記入水口１１と連通するために内部の下端から上端まで穿通される貫通孔１２と、蛇口を開閉可能に制御するために、前記貫通孔１２に設置される制御弁と、を備えるものである。
【００１５】
図１及び図２に示すように、前記吐水部２０は、前記ベース１０の上端に延設されると共に、傾斜した外側面と、前記外側面に穿設され、前記貫通孔１２と連通する吐水口２１と、を備えるものである。尚、前記吐水口２１は、Ｖ字型断面を呈することが好ましい。
【００１６】
図４及び図５に示すように、さらに、前記吐水部２０Ａは、前記ベース１０の上端に延設され、前記ベース１０の上端から水平方向に向かって延出し、対向する２つの吐水アーム２２Ａと、２つの前記吐水アーム２２Ａそれぞれに、前記貫通孔１２と連通するように、対向する内面に穿設される吐水口２１Ａと、を備えるものである。尚、前記吐水口２１Ａは、断面Ｌ字形を呈することが好ましい。
【００１７】
前記収納部３０は、前記ベース１０の上端における、前記吐水部２０、２０Ａの反対側に延設され、前記吐水部２０、２０Ａの上面と同一平面である上面を有するプレート状の収納台３１と、側縁部に凹設される円弧形の収納孔３２と、を備えるものである。尚、前記収納孔３２は、前記収納台３１に穿設されてもよく、また、多辺形を呈してもよい。
【００１８】
図３及び図６に示すように、本考案に係る収納機能を有する蛇口においては、収納部３０の収納孔３２に、例えば、歯磨き粉、歯ブラシなどを入れたコップを嵌め込んで収容することができ、さらに、洗顔料、石鹸などを収納台３１に置くこともできることから、使用上の利便性を高めることができるので、洗面台及び床を常に清潔に保つことができると共に、該コップに収容された清潔用品が落下し、床を汚すおそれもない。
【産業上の利用可能性】
【００１９】
本考案は上記の構成を有することから、直接蛇口の収納孔に衛生用品を収容できるようにすることにより、例えば、顔や手を洗う時、または、歯を磨く時に、利便性を提供することができるのみならず、衛生面も配慮されているので、洗面台を常時清潔にすることができる。
【符号の説明】
【００２０】
１０  ベース
１１  入水口
１２  貫通孔
２０、２０Ａ  吐水部
２１、２１Ａ  吐水口
２２Ａ  吐水アーム
３０  収納部
３１  収納台
３２  収納孔
【図１】
0003163749.tif 000003
【図２】
0003163749.tif 000004
【図３】
0003163749.tif 000005
【図４】
0003163749.tif 000006
【図５】
0003163749.tif 000007
【図６】
0003163749.tif 000008